(57)【特許請求の範囲】
【請求項１】
合成樹脂により形成され、左右両側の下端部が脚体の後両側部により支持された方形の背枠と、その内方の可撓性を有する背板とを備える椅子の背凭れ装置において、前記背板の全面に、上下及び左右方向に近接して並ぶ開口を多数設け、前記背枠における左右の側枠と前記背板の厚さを、上方に向かうにしたがって漸次小とするとともに、背板の厚さを、両側部から中央に向かうにしたがって漸次小とし、かつ背枠と背板とを、互いに連続する板状をなすように一体的に形成したことを特徴とする椅子の背凭れ装置。
【請求項２】
多数の開口を縦長スリット状としてなる請求項１記載の椅子の背凭れ装置。
【請求項３】
左右に隣接する開口の上下位置を、交互に上下に異ならせてなる請求項２記載の椅子の背凭れ装置。
【請求項４】
脚体の後両側部に背凭れ支持杆を立設し、その上端に設けた上方を向く背枠取付杆に、側枠の下端部に形成した下方に開口する取付孔を適正に嵌合し、かつねじにより固定することにより、背枠の下端部を背凭れ支持杆を介して脚体の後両側部に取付けてなる請求項１〜３のいずれかに記載の椅子の背凭れ装置。
【請求項５】
背枠取付杆を角軸状とするとともに、取付孔を、背枠取付杆と補形をなす方形孔としてなる請求項４記載の椅子の背凭れ装置。
【請求項６】
背枠取付杆を、背凭れ支持杆の上端に固着された左右方向を向く軸状支持部の上端に設け、この軸状支持部の上面に、背枠取付杆に嵌合した側枠の下端を嵌合させてなる請求項４または５記載の椅子の背凭れ装置。
【発明の詳細な説明】
【技術分野】
【０００１】
本発明は、合成樹脂により形成され、曲げ剛性の大きな背枠と、その内方の、着座者の背中を支持する可撓性の背板とを有する椅子の背凭れ装置に関する。
【背景技術】
【０００２】
この種の椅子の背凭れ装置は、例えば特許文献１及び２に記載されており、公知である。
【特許文献１】特開２００２−１２５７９７号公報
【特許文献２】特開２００５−１６０５５８号公報 (図１０〜図１３)
【発明の開示】
【発明が解決しようとする課題】
【０００３】
上記特許文献１及び２に記載されている背凭れ装置における背枠の左右両側部の前後寸法（厚さ）は、いずれも、上下方向に沿って等しく、かつ比較的大きな断面形状として、前後方向の曲げ剛性を高くしている。
【０００４】
そのため、背板に背中の押圧荷重が加わった際に、背枠の両側部が後方に撓みにくく、座り心地が悪い。
【０００５】
また、背中を支持する背板についても、全体がほぼ均一な板厚に成形されているため、背中が強く押し当たる背板の上部の後方への撓み量は限られ、特に背中の上部を快適に支持することはできない。
【０００６】
本発明は、上記問題点に鑑みてなされたもので、背枠と背板とを、上方ほど後方に撓み易くすることにより、背中の上部を快適に支持し、座り心地を向上させうるようにした、椅子の背凭れ装置を提供することを目的としている。
【課題を解決するための手段】
【０００７】
本発明によると、上記課題は、次のようにして解決される。
(１)合成樹脂により形成され、左右両側の下端部が脚体の後両側部により支持された方形の背枠と、その内方の可撓性を有する背板とを備える椅子の背凭れ装置において、前記背板の全面に、上下及び左右方向に近接して並ぶ開口を多数設け、前記背枠における左右の側枠と前記背板の厚さを、上方に向かうにしたがって漸次小とするとともに、背板の厚さを、両側部から中央に向かうにしたがって漸次小とし、かつ背枠と背板とを、互いに連続する板状をなすように一体的に形成する。
【０００８】
(２)上記(１)項において、多数の開口を縦長スリット状とする。
【０００９】
(３)上記(２)項において、左右に隣接する開口の上下位置を、交互に上下に異ならせる。
【００１０】
(４)上記(１)〜(３)項のいずれかにおいて、脚体の後両側部に背凭れ支持杆を立設し、その上端に設けた上方を向く背枠取付杆に、側枠の下端部に形成した下方に開口する取付孔を適正に嵌合し、かつねじにより固定することにより、背枠の下端部を背凭れ支持杆を介して脚体の後両側部に取付ける。
【００１１】
(５)上記(４)項において、背枠取付杆を角軸状とするとともに、取付孔を、背枠取付杆と補形をなす方形孔をなす方形孔とする。
【００１２】
(６)上記(４)または(５)項において、背枠取付杆を、背凭れ支持杆の上端に固着された左右方向を向く軸状支持部の上端に設け、この軸状支持部の上面に、背枠取付杆に嵌合した側枠の下端を嵌合させる。
【発明の効果】
【００１３】
請求項１記載の発明によれば、着座者の背中を背板に強く押し当てた際に、背枠が上方ほど後方に撓むとともに、可撓性の背板も上方ほど大きく後方に撓み易くなるため、これらの相乗作用により背中の上部が快適に支持され、座り心地が向上する。
しかも、背板の厚さを、両側部から中央に向かうにしたがって漸次小としてあるため、背中の押圧力が最も大きく加わる背板の中央部ほど、曲げ剛性が小さくなって後方に大きく撓み易くなり、背中の中央部はもとより、背中全体が快適に支持されるようになる。
さらに、背枠と背板とを、互いに連続する板状をなすように一体的に形成したことにより、背枠と背板とが一体感を呈し、見栄えが向上する。
【００１４】
請求項２記載の発明によれば、着座者の背中を背板に押し当てると、背板は、多数の上下方向に並ぶ縦長スリット状の開口を中心として後方に凸状に撓み易くなるため、背中が背板にフィットし、座り心地がより向上する。
【００１５】
請求項３記載の発明によれば、上下に並ぶ開口間に形成される連結片が、左右方向に沿って上下に交互にずれ、横一直線上に並ぶことがないので、開口が多数穿設されていても、背板全体に適度に曲げ抵抗が付与され、その強度を保つことができる。
【００１６】
請求項４記載の発明によれば、側枠の下端部が背凭れ支持杆の上端に設けた背枠取付杆に適正に嵌合されて、ねじにより固定されているので、背枠の下端部の取付強度及び曲げ剛性が大となり、背枠の上方と背板の上方とを効果的に後方に撓ませることができる。
【００１７】
請求項５記載の発明によれば、背枠取付杆及び取付孔の断面積が、円形等に比して大となるとともに、互いの嵌合部の接触面積も大きくなるので、背枠の下端部の取付強度及び曲げ剛性がより大きくなる。
【００１８】
請求項６記載の発明によれば、側枠の下端が、背凭れ支持杆の上端の左右方向を向く軸状支持部の上面に嵌合されているので、背枠の下端が前後方向にぐらつくのが防止され、背枠の下端部を背凭れ支持杆の上端に安定して取付けることができる。
【００１９】
請求項７記載の発明によれば、背中の押圧力が最も大きく加わる背板の中央ほど、曲げ剛性が小さくなって後方に大きく撓み易くなるため、背中の中央部はもとより、背中全体が快適に支持され、座り心地が向上する。
【発明を実施するための最良の形態】
【００２０】
以下、本発明の実施形態を、図面に基づいて説明する。
図１は、本発明を適用した椅子の正面図、図２は、同じく側面図、図３は、同じく前方斜視図、図４は、背凭れの拡大正面図である。
【００２１】
椅子(１)は、先端にキャスタ(２)が取付けられた放射方向を向く５本の脚杆(３)を有する脚体(４)と、その中心に立設され、内部に収容されたガススプリング（図示略）により伸縮可能な脚柱(５)と、この脚柱(５)の上端に固着された支基(６)とを備えている。
【００２２】
支基(６)の前端には、斜め前上方を向く座支持フレーム(７)が一体的に連設され、また支基(６)における脚柱(５)よりもやや後方の両側部には、図５にも示すように（左右対称であるため一方のみ図示する）、側面視概ね前向きくの字形をなすとともに、下端部が内向Ｌ字状に折曲された左右１対の背凭れ支持杆(８)(８)が、その内向折曲部内端の枢軸部(8a)を、支基(６)の内部に設けられたゴムトーションユニット（図示略）に枢嵌することにより、前向きの付勢力が付与された状態で前後方向に回動可能に取付けられている。
【００２３】
上記座支持フレーム(７)の前端部上面により、座体すなわち上面にクッション材(９)が張設された座板(10)の前端部下面の左右両側部が、前後方向に移動可能に支持されている。座板(10)の後端部の左右両側部は、左右の背凭れ支持杆(８)の上端に、次のようにして枢着されている。すなわち、座板(10)の後端部の上端縁には、左右１対の支持片(11)(11)が立設され、この両支持片(11)の外側面に皿ねじ(12a)により固定された１対の座支持ブラケット(12)の上端を、図５に示すように、背凭れ支持杆(８)の上端に固着された左右方向を向く軸状支持部(13)の内側面に突設した内向きの角軸(13a)に遊嵌することにより、座板(10)の後端部の左右両側部は、左右の背凭れ支持杆(８)の上端により、後傾可能に支持されている。
【００２４】
上記角軸(13a)の内端部には、後記する背凭れ(19)の下端部を支持する上下方向を向く背枠取付杆(14)の下端の軸状部(14a)の角孔(14b)が、平座金(15)と２分割構造のブッシュ(16)(16)を介して、上記座支持ブラケット(12)を挟持するようにして、相対回動不能に嵌合され、軸状支持部(13)の外側方より挿入したボルト(17)を、角軸(13a)を貫通して軸状部(14a)の内部のめねじ（図示略）に螺合することにより固定されている。
【００２５】
(18)(18)は、それぞれ、軸状支持部(13)の外側面の開口と、背枠取付杆(14)の軸状部(14a)の内側面の開口に止着されたキャップで、ボルト(17)の頭部と先端部とを目隠ししている。
【００２６】
(19)は板状の背凭れで、正面視ほぼ方形枠状をなす背枠(20)と、それにより囲まれた内方の背板(21)とからなり、それら全体が合成樹脂により一体成形されている。
【００２７】
図４に示すように、背枠(20)における左右の側枠(20a)(20a)の下部は、外側方に若干拡開し、かつ下端部には、背凭れ支持杆(８)への取付部(20c)(20c)が下向きに連設されている。
【００２８】
側枠(20a)は、背板(21)と連続する板状をなし、その前後寸法（厚さ）は、図２の側面図及び図６の断面図に示すように、下端部が大きく、上端に向かうにしたがって漸次小さくなるように形成され、また、その断面形状は、図８及び図９に示すように、平面視外向コ字状をなし、外側面には、外方と下方に開口する凹溝(22)が、上下方向に向かって上端付近まで形成されている。
【００２９】
上記凹溝(22)における下端部を除いた対向面同士は、ほぼ水平をなす平板状の多数のリブ(23)により、一定間隔おきに連結され、側枠(20a)の前後方向への曲げ剛性を高めている。
【００３０】
背枠(20)の下端の円弧状に湾曲する下枠(20b)は、背板(21)と連続する板状をなし、その断面形状は、図７に示すように、側面視下向コ字状をなし、下面に形成された下方に開口する凹溝(24)の対向面同士は、ほぼ垂直をなす平板状の多数のリブ(25)により連結され、下枠(20b)の曲げ剛性を高めている。
【００３１】
側枠(20a)の下端部における取付部(20c)とその上方の凹溝(22)の奥面には、後記肘掛け(29)取付用のボルトが挿通する２個の段付孔(26)(26)か形成されている（図５参照）。
【００３２】
図７に示すように、背板(21)の厚さ（前後寸法）は、側枠(20a)と同様、下部側が大きく、上端に向かうにしたがって漸次小とされ、また、図８に示すように、両側部が大きく、中央に向かって漸次小となるように形成されている。
【００３３】
背板(21)の全面には、縦長スリット状の多数の開口(27)が、上下及び左右方向に一定間隔おきに規則正しい配列で穿設されている。すなわち、互いに隣接する左右の開口(27)は、その上下寸法のほぼ半分の長さだけ上下位置を交互に異ならせた態様で、左右方向に千鳥足状に近接して穿設され、かつ上下の各開口(27)は、互いに近接して一直線状に並んで形成されている。
【００３４】
図１０に拡大して示すように、背板(21)における互いに左右に隣接する開口(27)間の上下に連続する連結片(21a)の厚さ（前後寸法）は、図８に示すように、左右寸法よりも大とされ、前後方向に長いリブ状の断面形状とされている。
【００３５】
また、図９に示すように、上下方向に並ぶ開口(27)間の連結片(21b)の厚さ（前後寸法）は、上記左右に隣接する連結片(21a)の厚さよりも小とされ、その部分の断面形状は、後面中央が薄肉をなすほぼ平面視後向コ字状断面とされている。
【００３６】
このような断面形状とすると、背板(21)に後向きの押圧荷重が加わった際に、多数の連結片(21b)の後面側が外開き状に拡開し、背板(21)全体は、上下に並ぶ開口(27)を中心として後方に凸曲面状に撓み易く、また、左右方向に並ぶ開口(27)と直交する後方に対しては、十分な剛性を有し、撓みにくくなる。
【００３７】
また、左右に隣接する開口(27)間の連結片(21a)は、前後方向に長いほぼ長方形断面をなしているため、背板(21)の強度が低下する恐れはない。
【００３８】
図１１に示すように、背枠(20)における左右の側枠(20a)（左右対称で同一構造であるため一方のみ図示する）の下端部には、上記背枠取付杆(14)と補形をなす下端が開口する方形断面の取付孔(28)が、上下方向に向かって形成され、この取付孔(28)には、上述した背凭れ支持杆(８)の上端に取付けた角柱状の背枠取付杆(14)が適正に嵌合され、肘掛け(29)と共に次のようにして固定されている。
【００３９】
図５に示すように、背枠(20)における側枠(20a)の下端部の外側面に形成された凹溝(22)に、肘掛け(29)の内端に連設された下向取付部(29a)を嵌合し、この下向取付部(29a)における外面の凹溝(30)の奥面に形成された上下２個の段付孔(31)に外側方より挿入したボルト(32)を、凹溝(22)の奥面の上下２個の段付孔(26)を介して、側枠(20a)の下端の取付孔(28)に嵌合した背枠取付杆(14)における左右方向を向く上下２個のめねじ孔(33)(33)に螺合して締付ける。
【００４０】
これにより、背凭れ支持杆(８)に取付けた背枠取付杆(14)と、背枠(20)の側枠(20a)と、肘掛け(29)とが、２本のボルト(32)により強固に共締めされる。特に、肘掛け(29)の下向取付部(29a)は、側枠(20a)の凹溝(22)に嵌合されて固定されているので、前後及び上下方向にぐらつくことはない。
【００４１】
なお、図１１に示すように、肘掛け(29)の下向取付部(29a)の内側面におけるボルト(32)の挿通部には、側枠(20a)の段付孔(26)における外側の大径部に嵌合される突部(34)が突設され、側枠(20a)に取付ける際の位置決めを容易としてある。
【００４２】
また、下向取付部(29a)と側枠(20a)の下端には、それぞれ図５に示すように、背凭れ支持杆(８)の上端の軸状支持部(13)の上面及び背枠取付杆(14)の軸状部(14a)の上面に嵌合される上向き円弧状の嵌合凹部(35)(35)が形成され、背凭れ支持杆(８)に背凭れ(19)や肘掛け(29)の下端を取付ける際に、前後方向に位置ずれしたり、ぐらついたりするのが防止されるとともに、取付後の見栄えが向上する。
【００４３】
ボルト(32)の頭部は、下向取付部(29a)の凹溝(30)の奥面において段付孔(31)の外側の大径部内に位置し、肘掛け(29)の外部に露呈しないようになっている。
【００４４】
以上説明したように、上記実施形態においては、背凭れ(19)の背枠(20)は、背板(21)と連続する比較的薄肉の板状をなしているため、互いに一体感を呈し、見栄えが向上する。
【００４５】
また、背枠(20)の側枠(20a)と下枠(20b)は、それぞれ外向コ字状断面とされ、外側面と下面に形成された凹溝(22)(24)の対向面同士を、多数の板状をなすリブ(23)(25)により連結しているため、背枠(20)を板状にしたにも拘らず、前後方向の曲げ剛性が高く、着座者の背中の荷重により背凭れ(19)が後方に押圧された際に、背板(21)のみが効果的に後方に撓むことから、座り心地がよくなる。
【００４６】
さらに、背枠(20)の側枠(20a)及び背板(21)の前後寸法（板厚）は、上端に向かうにしたがって漸次小さくなるようにしているため、背凭れ(19)が強く押圧された際、剛性を高めた背枠(20)の上部が適度に後方に撓むとともに、背板(21)の上方も後方に大きく撓み易くなり、特に背中の上部を快適に支持することができる。しかも、連結片(21a)を含む背板(21)全体の前後寸法を、両側部から中央に向かって漸次小としてあるため、背中の押圧力が最も大きく加わる背板(21)の中央部ほど、曲げ剛性が小さくなって後方に大きく撓み易くなり、背中の中央部はもとより、背中全体が快適に支持されるようになる。
【００４７】
さらにまた、背板(21)の全面には、上下方向に並ぶ多数の開口(27)が穿設され、かつ上下の開口(27)間の連結片(21b)の後面中央を薄肉として、その部分が後方に拡開し易いようにしているため、背板(21)全体が上下方向を向く多数の開口(27)を中心として後方に凸状に撓み、背中全体にフィットすることにより、快適な座り心地が得られる。
【００４８】
左右に隣接する開口(27)間の上下方向に連続する連結片(21a)は、前後寸法が左右寸法より大きい前後方向に長いリブ状の断面形状とされているため、背板(21)は、その幅方向に対し、それと直交する前後方向への撓み剛性が高くなる。従って、多数の開口(27)を穿設したにも拘らず、背板(21)の強度が低下することはない。
【００４９】
本発明は、上記実施形態に限定されるものではない。
上記実施形態では、背板(21)の左右に隣接する開口(27)は、左右方向に千鳥足状に上下位置を異ならせて穿設しているが、上下方向に並ぶ各開口(27)の上下両端を左右方向に整合させて穿設してもよい。また、開口(27)の上下寸法の異なるものを適宜に組み合わせて配列してもよい。
【００５０】
本発明は、上述した特許文献１に記載されているような簡易な椅子にも適用することができる。この際には、脚体の一部をなす左右１対の後脚の上端に、上方を向く背凭れ支持杆を固着し、この上端に立設した、上記実施形態と同様の背枠取付杆(14)に、背凭れ(19)を取付けるとともに、肘掛け(29)をボルトにより共締めすればよい。
【００５１】
本発明は、肘掛け(29)のない椅子にも適用しうる。この際には、若干短寸のボルト(32)を、側枠(20a)の段付孔(26)より挿入し、背枠取付杆(14)のめねじ孔(33)に直接螺合すればよい。また、背凭れ支持杆(８)の上端部を、側枠(20a)の取付孔(28)に嵌合しうる形状とすれば、背凭れ支持杆(８)の上端部に背枠(20)の下端部を直接取付けることもできる。
【図面の簡単な説明】
【００５２】
【図１】本発明を適用した椅子の正面図である。
【図２】同じく側面図である。
【図３】同じく前方斜視図である。
【図４】同じく、背凭れの拡大正面図である。
【図５】同じく、背凭れと肘掛けの取付部の分解斜視図である。
【図６】図４のＶI−ＶI線拡大縦断側面図である。
【図７】同じく、VII−VII線拡大縦断側面図である。
【図８】同じく、VIII−VIII線拡大横断平面図である。
【図９】同じく、IＸ−IＸ線拡大横断平面図である。
【図１０】背板の一部の拡大正面図である。
【図１１】図１のＸI−ＸI線拡大横断平面図である。
【符号の説明】
【００５３】
(１)椅子
(２)キャスタ
(３)脚杆
(４)脚体
(５)脚柱
(６)支基
(７)座支持フレーム
(８)背凭れ支持杆
(8a)枢軸部
(９)クッション材
(10)座板
(11)支持片
(12)座支持ブラケット
(12a)皿ねじ
(13)軸状支持部
(13a)角軸
(14)背枠取付杆
(14a)軸状部
(14b)角孔
(15)平座金
(16)ブッシュ
(17)ボルト
(18)キャップ
(19)背凭れ
(20)背枠
(20a)側枠
(20b)下枠
(20c)取付部
(21)背板
(21a)(21b)連結片
(22)凹溝
(23)リブ
(24)凹溝
(25)リブ
(26)段付孔
(27)開口
(28)取付孔
(29)肘掛け
(29a)下向取付部
(30)凹溝
(31)段付孔
(32)ボルト
(33)めねじ孔
(34)突部
(35)嵌合凹部
【図１】
0004448487.tif 000002
【図２】
0004448487.tif 000003
【図３】
0004448487.tif 000004
【図４】
0004448487.tif 000005
【図５】
0004448487.tif 000006
【図６】
0004448487.tif 000007
【図７】
0004448487.tif 000008
【図８】
0004448487.tif 000009
【図９】
0004448487.tif 000010
【図１０】
0004448487.tif 000011
【図１１】
0004448487.tif 000012